(57)【特許請求の範囲】
【請求項１】
浴槽、洗面台等の水平なデッキ板の下側に配置される水栓本体と、この水栓本体から前記デッキ板上に突出する給水管に接続される回転吐水口を備えた埋込型水栓において、
前記回転吐水口を、前記給水管内に回動可能に嵌挿される回転軸筒と、この回転軸筒の上端に固定される吐水口本体と、この吐水口本体の下方を覆うとともに、前記回転軸筒を前記給水管に回動可能に組み付けるカバーとを備えたものとして構成するとともに、
前記カバーを、前記デッキ板上に突出している前記給水管に取付けられる下部カバーと、この下部カバー上に配置固定されて前記回転軸筒を回転可能に掛止する上部カバーとの上下２分割にし、
かつ、前記回転軸筒の下端を、前記下部カバーの内側へ延設して、
前記回転軸筒の、前記上部カバー下端から露出する部分に円環溝を形成し、この円環溝内にシール部材を設けたことを特徴とする回転吐水口。
【請求項２】
浴槽、洗面台等の水平なデッキ板の下側に配置される水栓本体と、この水栓本体から前記デッキ板上に突出する給水管に接続される回転吐水口を備えた埋込型水栓において、
前記回転吐水口を、前記給水管内に回動可能に嵌挿される回転軸筒と、この回転軸筒の上端に固定される吐水口本体と、この吐水口本体の下方を覆うとともに、前記回転軸筒を前記給水管に回動可能に組み付けるカバーとを備えたものとして構成するとともに、
前記カバーを、前記デッキ板上に突出している前記給水管に取付けられる下部カバーと、この下部カバー上に配置固定されて前記回転軸筒を回転可能に掛止する上部カバーとの上下２分割にし、
かつ、前記回転軸筒の下端を、前記下部カバーの内側へ延設して、
さらに、前記給水管に、前記上部カバーの下端面が前記下部カバーの上端面に当接した状態にしながら上下両カバーを螺着するとともに、前記上部カバーに設けた掛止凹溝に前記回転軸筒の一部を回動可能に掛止するようにしたことを特徴とする回転吐水口。
【発明の詳細な説明】
【０００１】
【発明の属する技術分野】
本発明は、水栓の吐水口に関し、特に、浴槽、洗面台等の水平なデッキ板の下側に配置した水栓本体に対して、デッキ板上にて回動自在に取付られる回転吐水口に関するものである。
【０００２】
【従来の技術】
デッキ板の下側に配置した水栓本体に対して、デッキ板上にて吐水口を設けるようにした、所謂埋込型水栓は、デッキ板上に、水量や温度を調整するハンドルと、調整された湯水を吐出させる吐水口しか露出しないものとなるため、浴槽や洗面台等のデザインをスッキリさせるだけでなく、使用上も便利なものとなっている。また、この種の埋込型水栓では、吐水口を回動自在なものとして、湯水の吐出位置を自由に変えられるようにすることも行われている。
【０００３】
このような埋込型水栓の回転吐水口としては、例えば実公昭５９−３８５号にて提案されている「浴槽用吐水口」がある。この吐水口では、図７に示すように、吐水口本体Ｃのガタ防止のために、吐水口本体Ｃの基端部に螺合した回転軸筒３０を栓本体の接続部７内に嵌入させ、吐水口本体Ｃと回転軸筒３０の鍔３２で掛止させたカバー具３１を、接続部７の外周に形成してある雄ねじ３９ａに螺合させて、浴槽上縁面Ｂ（以下デッキ板という）に当接させることにより、吐水口本体Ｃを水栓本体Ａに接続するようにしたものである。
【０００４】
この図７に示した従来の浴槽用吐水口Ｃでは、そのガタ付きを防止する、つまり傾くことがないようにすることができたものではあるが、次のような難点を有しているものである。
【０００５】
すなわち、この従来の浴槽用吐水口では、回転軸筒３０の図示下部外周に設けた環状凹溝内にパッキング３４を嵌挿しておいて、このパッキン３４を回転軸筒３０の接続部７内への嵌入とともに嵌入することにより、吐水口本体側の回転軸筒３０と接続部７とのシールを行うようにしている。一方、カバー具３１は、その上端に形成してある掛止片３６によって、吐水口本体に雄ねじ３３ａにより一体的に螺着される回転軸筒３０の鍔３２に掛止されるものであるから、回転軸筒３０の略全体を覆ったままとなっているものである。
【０００６】
回転軸筒３０とこれを覆うカバー具３１が以上のような関係にあると、パッキン３４の点検・交換を行う場合の作業性を考慮すれば、図７に示したように、回転軸筒３０をカバー本体３１の下端から大きく突出したものとしなければならなくなり、結果的に、回転軸筒３０はそのガタ防止するため以上に長いものとしなければならないことになる。
【０００７】
このように、回転軸筒３０が必要以上に長いと、無駄に材料を使用することになるだけでなく、埋込型水栓全体が大型化して重量も増し、施工性も悪くなることになり、結果的には不経済なものとなってしまうのである。
【０００８】
また、この種の回転吐水口は、図６にも示すように、水栓本体を、湯水の温度や流量を調整するハンドルを設けた第１水栓本体と、この第１水栓本体とフレキシブルパイプ等で接続した第２水栓本体とに分けておき、この第２水栓本体に接続することも行われる。この図６の例のように、水栓本体を２つに分ける理由は、吐水口の位置とハンドルの位置を大きく引き離したい場合があるからであり、この場合には、回転吐水口が接続される第２水栓本体は比較的小さなものとされる。
【０００９】
図６に示した第２水栓本体に接続されている回転吐水口が、図７に示したような従来のものであったとすると、例えば、そのパッキン３４の点検等を行うために、カバー具３１を外して回転軸筒３０を接続部７から引き抜いたとたん、この第２水栓本体はデッキ板に何等支えられないことになって、デッキ板から落下してしまうことになる。逆に、この種の第２水栓本体に回転吐水口を取付ける場合には、この第２水栓本体をデッキ板の下面に常に当接しているように支えていなければならないことになる。デッキ板の下側はそんなに大きなスペースがある訳ではないから、この場合の回転吐水口の取付点検作業は非常に困難になる。
【００１０】
そこで、本発明者は、この種の回転吐水口における上述した難点を解消するにはどうしたらよいかについて種々検討を重ねてきた結果、本発明を完成したのである。
【００１１】
【発明が解決しようとする課題】
本発明は、以上のような経緯に基づいてなされたもので、その解決しようとする課題は、埋込型水栓において使用される回転吐水口のさらなるコンパクト化と、取付け取外し時における作業性の向上である。
【００１２】
すなわち、まず請求項１に係る発明の目的とするところは、回転軸筒の長さを短くすることができて、その結果、全体のコンパクト化、軽量化を図ることができ、しかも施工性も向上させることができて、非常に経済的なものとすることのできる回転吐水口を簡単な構造によって提供することにある。
【００１３】
（削除）
【００１４】
さらに、請求項２に係る発明の目的とするところは、回転軸筒の長さを短くすることができて、その結果、全体のコンパクト化、軽量化を図ることができ、しかも施工性も向上させることができて、非常に経済的なものとすることができる他、カバーの固定を、上部カバーと下部カバーとの締着によって行うことにより、当該回転吐水口が固定されるべきデッキ板に大きな締付力が及ばないようにして、デッキ板の保護をも行うことのできる回転吐水口を提供することにある。
【００１５】
【課題を解決するための手段】
以上の課題を解決するために、請求項１に係る発明の採った手段は、以下の実施形態の説明中において使用する符号を付して説明すると、
「浴槽、洗面台等の水平なデッキ板５０の下側に配置される水栓本体２１０と、この水栓本体２１０からデッキ板５０上に突出する給水管４０に接続される回転吐水口１００を備えた埋込型水栓２００において、
回転吐水口１００を、給水管４０内に回動可能に嵌挿される回転軸筒２０と、この回転軸筒２０の上端に固定される吐水口本体１０と、この吐水口本体１０の下方を覆うとともに、回転軸筒２０を給水管４０に回動可能に組み付けるカバー３０とを備えたものとして構成するとともに、
カバー３０を、デッキ板５０上に突出している給水管４０に取付けられる下部カバー３２と、この下部カバー３２上に配置固定されて回転軸筒２０を回転可能に掛止する上部カバー３１との上下２分割にし、
かつ、回転軸筒２０の下端を、下部カバー３２の内側へ延設して、
回転軸筒２０の、上部カバー３１下端から露出する部分に円環溝を形成し、この円環溝内にシール部材２２を設けたことを特徴とする回転吐水口１００」
である。
【００１６】
すなわち、この請求項１の回転吐水口１００では、その吐水口本体１０が一体化された回転軸筒２０を水栓本体２１０側の給水管４０に回転可能に取付けるとともに、その取付部分を覆うことになるカバー３０を、上部カバー３１と下部カバー３２との上下２つのものに分割する必要があるものである。その理由は、このカバー３０が本来有している機能を、上部カバー３１と下部カバー３２に分担させることにより、回転軸筒２０の長さを短くすることができるようにするためである。
【００１７】
勿論、この回転吐水口１００では、その回転軸筒２０の下端を下部カバー３２の内側へ延設する必要があるが、その理由は、このようにすることによって、吐水口本体１０自体のガタ付きを防止する必要があるからである。
【００１８】
また、この請求項１に係る回転吐水口１００については、下部カバー３２と給水管４０の上部との間、及び回転軸筒２０と下部カバー３２との間に、それぞれ液密的に摺接するシール部材２２が設けてある。特に、回転軸筒２０の、上部カバー３１下端から露出する部分に形成した円環溝内には、図２及び図４に示すように、シール部材２２が設けてある。
【００１９】
すなわち、この回転吐水口１００は、図１に示したように、その吐水口本体１０が一体化される回転軸筒２０の、下部カバー３２が直接摺接する部分と、給水管４０とこれに摺接する下部カバー３２の部分の２箇所にシール部材２２を介在させるようにすることが必要なものである。その理由は、回転軸筒２０と給水管４０との間のシールを下部カバー３２を介して行うようにすることにより、回転軸筒２０のシールに必要な部分を少なくして、当該回転軸筒２０全体の長さをより一層短くする必要があるからである。
【００２０】
さらに、以上の課題を解決するために、請求項２に係る発明の採った手段は、
「浴槽、洗面台等の水平なデッキ板５０の下側に配置される水栓本体２１０と、この水栓本体２１０からデッキ板５０上に突出する給水管４０に接続される回転吐水口１００を備えた埋込型水栓２００において、
回転吐水口１００を、給水管４０内に回動可能に嵌挿される回転軸筒２０と、この回転軸筒２０の上端に固定される吐水口本体１０と、この吐水口本体１０の下方を覆うとともに、回転軸筒２０を給水管４０に回動可能に組み付けるカバー３０とを備えたものとして構成するとともに、
カバー３０を、デッキ板５０上に突出している給水管４０に取付けられる下部カバー３２と、この下部カバー３２上に配置固定されて回転軸筒２０を回転可能に掛止する上部カバー３１との上下２分割にし、
かつ、回転軸筒２０の下端を、下部カバー３２の内側へ延設して、
さらに、給水管４０に、上部カバー３１の下端面が下部カバー３２の上端面に当接した状態にしながら上下両カバー３１．３２を螺着するとともに、上部カバー３１に設けた掛止凹溝３１ｂに回転軸筒２０の一部を回動可能に掛止するようにしたことを特徴とする回転吐水口１００」
である。
【００２１】
すなわち、この請求項２に係る回転吐水口１００にあっては、上部カバー３１と下部カバー３２とからなるカバー３０の締着を主として給水管４０に対して行うようにする必要があり、そのために、給水管４０に締着された下部カバー３２上に上部カバー３１が当接するようにするとともに、この上部カバー３１を給水管４０に対して締着するようにする必要があるものである。その理由は、下部カバー３２によりデッキ板５０上に位置決め固定した給水管４０に対して上部カバー３１を締着するとともに、この上部カバー３１の下面を下部カバー３２の上面に当接させることにより、給水管４０に対するダブルナットのような機能をこれらのカバー３０及び上部カバー３１に付与しなければならないからである。
【００２２】
【発明の実施の形態】
以上のように構成した各請求項に係る発明を、図面に示した実施の形態に従って説明するが、この図面に示した実施形態は、主として図１及び図２を中心に示した実施例１と、同図３及び図４を中心に示した実施例２とに分けられるため、各実施例毎に説明をすることとする。
【００２３】
（実施例１）
図１には、各請求項に係る発明を実質的に含む実施例１に係る回転吐水口１００が示してあるが、この回転吐水口１００は、浴槽や洗面化粧台等を構成するデッキ板５０の下面に配置される水栓本体２１０に対して、デッキ板５０の上面側にて接続されるものである。すなわち、この図１は、デッキ板５０の下面側に配置される水栓本体２１０に対して、ハンドル６１等の一部がデッキ板５０上に突出する止水栓６０を設けるとともに、水栓本体２１０に連通する給水管４０をデッキ板５０上に突出させて、この給水管４０に回転吐水口１００を接続した埋込型水栓２００を示すものである。
【００２４】
そこで、デッキ板５０の下側に配置される水栓本体２１０について先ず説明すると、この水栓本体２１０は、図１及び図５に示したように、例えば湯と水とをそれぞれの止水栓６０を介して一本の給水管４０に導出させるようにしたものであり、この給水管４０からの湯水を、本発明に係る回転吐水口１００から吐水させるものである。勿論、各止水栓６０は、そのデッキ板５０上に露出するハンドル６１によって操作される。
【００２５】
水栓本体２１０は、図１及び図５に示したような、略中央に一本の給水管４０を配置した一体的なものと、図６に示したように、２つの止水栓６０により第１水栓本体２１１にて湯水を一旦混合しておき、この混合湯水を、例えばフレキシブル配管等を介して第１水栓本体２１１とは別体の第２水栓本体２１２に導出させるもの、との２種類に大別されるものである。いずれにしても、この水栓本体２１０は、最終的に一本の給水管４０に湯水を導出するのものであるが、場合によっては、湯のみまたは水のみを給水管４０に導出させるように構成されることもある。
【００２６】
勿論、この水栓本体２１０を介した湯水の導出及び止水は、一部がデッキ板５０の下面に配置されてハンドル６１がデッキ板５０上に露出する止水栓６０によって操作するものであるから、図１に示したように、各止水栓６０をデッキ板５０に挿通するための開口をデッキ板５０に設ける。また、各止水栓６０から導出された湯水をデッキ板５０上にて吐水させなければならないから、水栓本体２１０に連通して設けた給水管４０もデッキ板５０に設けた開口からデッキ板５０上に突出されるものである。従って、図１に示した水栓本体２１０は、その給水管４０と各止水栓６０の上端部をデッキ板５０上に露出するようにしておいて、これらの上端部にハンドル６１や回転吐水口１００を取付けるものである。一方、図６に示した水栓本体２１０においては、その第１水栓本体２１１に各ハンドル６１をデッキ板５０上にて取付けるとともに、その第２水栓本体２１２がデッキ板５０から下方に落下しないようにしておいてから、デッキ板５０上の突出部分に回転吐水口１００を取付けるものである。
【００２７】
さて、回転吐水口１００であるが、この回転吐水口１００は、主として、給水管４０内に回動可能に嵌挿される回転軸筒２０と、この回転軸筒２０の上端に固定される吐水口本体１０と、この吐水口本体１０の下方を覆うとともに、回転軸筒２０を給水管４０に回動可能に組み付けるカバー３０とを備えたものである。
【００２８】
吐水口本体１０は、所定のデザインが施されたパイプ状のものであり、その先端が例えばお風呂の浴槽内及び洗い場に届く程度の長さを有したものである。勿論、この吐水口本体１０は、前述した止水栓６０によって混合された湯水を安定的に吐水させる吐水口１１を先端に有し、他端に回転軸筒２０が取付けられる取付部１２を有しているものである。なお、図１に示した吐水口本体１０においては、その取付部１２を回転軸筒２０の上端に形成したフランジ部に力シメ・溶接等により一体化したものである。すなわち、この吐水口本体１０は、回転軸筒２０の上端に回動可能に一体化されるものである。
【００２９】
回転軸筒２０は、上述したように、その上端が、吐水口本体１０と一体化されるものであるが、その下端はデッキ板５０上に突出している給水管４０内に回動可能に嵌挿されるものである。本実施形態の回転軸筒２０においては、その上部に形成した円環溝内に、スナップリングのような形状のストッパ２１を設けたものであり、このストッパ２１の直下、つまり上部カバー３１下端から露出する部分に形成した円環溝内には、図２に示したように、シール部材２２が嵌着してある。
【００３０】
以上のような回転軸筒２０の周囲を被覆することになるカバー３０は、前述したように、吐水口本体１０の取付部１２の直下に位置することになる上部カバー３１と、デッキ板５０上に配置されることになる下部カバー３２とからなっている。
【００３１】
上部カバー３１は、図１に示したように、回転軸筒２０を回動可能に嵌挿するための縦穴を有した筒状のものであり、回転軸筒２０の上端にブッシュを介して回動可能に配置されるものである。また、この上部カバー３１は、その下端部を小径部としたものであり、この小径部を外周面にネジ溝を有したネジ部３１ａとしたものである。このネジ部３１ａの下端面は、図１に示したようにカバー３０を組付けたとき、回転軸筒２０側のストッパ２１上に摺接することになるものであり、後述の下部カバー３２の内側上端面とともに、回転軸筒２０の抜止めを行うものである。
【００３２】
この実施例１における下部カバー３２は、その上端外周に円環状に突出させるとともに、この部分の内側にネジ溝を形成することにより、上部カバー３１側のネジ部３１ａが螺着されるネジ部３２ａとしてあるものである。このネジ部３２ａの内側になる上端面は、回転軸筒２０側のストッパ２１の下面に摺接するものとされるものであり、これにより、当該下部カバー３２は、前述した上部カバー３１側のネジ部３１ａの下端面とともに、ストッパ２１を回動可能に保持しながら、回転軸筒２０の位置決めを行うものである。
【００３３】
また、この下部カバー３２は、その下端部内側に、回転軸筒２０のデッキ板５０から突出している部分に形成してあるネジ部４１に螺合されるネジ部３２ｂが形成してあり、このネジ部３２ｂによってネジ部４１に螺着したとき、給水管４０のデッキ板５０上に対する支持とともに、デッキ板５０上への固定がなされるものである。なお、図１に示した給水管４０は、そのデッキ板５０の下面に配置されるナット４２によって、そのデッキ板５０上への突出量が規定されるものであり、またこの給水管４０上のナット４２と上記下部カバー３２との締着により、給水管４０のデッキ板５０に対する支持・固定が確実化されるものであることは言うまでもない。
【００３４】
そして、この下部カバー３２の内面であって、給水管４０の上端部に摺接する部分には円環状の溝が形成してあって、この溝内に当該下部カバー３２と給水管４０との間のシールを行うシール部材２２が入れてある。また、この下部カバー３２の上部内面には、ストッパ２１の直下に位置する回転軸筒２０の部分が摺接するものとしてあり、この下部カバー３２の上部と回転軸筒２０との間は、前述したシール部材２２によってシールしてある。
【００３５】
以上のような回転吐水口１００を、デッキ板５０上に突出している給水管４０に対して組付けるには、次のようにするものであり、水栓本体２１０が図１及び図５に示したような一体化型の場合と、水栓本体２１０が図６に示したような第１水栓本体２１１及び第２水栓本体２１２に分けられている場合についてそれぞれ説明する。
【００３６】
水栓本体２１０が一体化型の場合には、まず、ナット４２により給水管４０のデッキ板５０上への突出量を決めてから、図１及び図２に示したように、各ハンドル６１がデッキ板５０上に露出するように各止水栓６０をデッキ板５０に組み付けるのである。これにより、給水管４０が両止水栓６０間にてデッキ板５０上から突出することになるから、図２に示したように、このデッキ板５０に下部カバー３２を螺着するのである。勿論、この下部カバー３２の下部内側にはシール部材２２を取付けておくものであり、給水管４０への螺着によって、そのシール部材２２は給水管４０の上端部と下部カバー３２との間をシールするものとなる。
【００３７】
以上の下部カバー３２の給水管４０への螺着は、上述した各止水栓６０の取付けより先に行われることもある。この場合には、ナット４２によりデッキ板５０上への突出量が規定された給水管４０に対してデッキ板５０上側から下部カバー３２を螺着すれば、水栓本体２１０のデッキ板５０下面に対する仮止めができるものであり、これにより水栓本体２１０が落下することはなくなるから、各止水栓６０の組付けは水栓本体２１０を支えることなく行えることになって有利である。
【００３８】
水栓本体２１０が、図４に示したような第１水栓本体２１１と第２水栓本体２１２とに分けられている形式のものである場合には、止水栓６０が組付けられる第１水栓本体２１１はともかく、当該回転吐水口１００を組付けなければならない第２水栓本体２１２は、何等かの手段によってその給水管４０が突出した状態でデッキ板５０に一時的にでも支持しなければならない。ところが、本実施形態の回転吐水口１００では、カバー３０を上部カバー３１と下部カバー３２とに２分割してあるから、この内の下部カバー３２によって給水管４０をデッキ板５０上に仮止めすることにより、そのことが行える。すなわち、水栓本体２１０が図６に示した分割型のものであっても、下部カバー３２により給水管４０の仮固定が行えるということは、例えばデッキ板５０の下側に長い間手を入れて水栓本体２１０の支え行わなければならないという不具合を無くすということであり、施工上も非常にメリットが高いものである。
【００３９】
以上のカバー３０を２分割したことによるメリットは、当該回転吐水口１００をデッキ板５０に新たに組付ける場合は勿論、各シール部材２２の交換や、吐水口本体１０や回転軸筒２０等の点検の際等にも言えることである。つまり、カバー３０を２分割するということは、その下部カバー３２のみを給水管４０上に仮止めすることができるということを意味し、その他の部材の組付・点検・交換の作業性を高めるということをも意味していて、相当重要なことなのである。
【００４０】
さて、デッキ板５０上に突出している給水管４０、及びこれをデッキ板５０に対して仮止めしている下部カバー３２に対しては、図２に示したように、吐水口本体１０を一体化した回転軸筒２０、及びこれに組付けられた上部カバー３１を組付けるのである。そのためには、吐水口本体１０が一体化されている回転軸筒２０の上端にブッシュを介して上部カバー３１を挿通しておき、この上部カバー３１の下側に露出している回転軸筒２０上の円環溝内にストッパ２１を嵌入しておくのである。勿論、このストッパ２１の下側になる回転軸筒２０上の円環溝内にシール部材２２を嵌めておく。
【００４１】
以上のようにした回転軸筒２０の下端を、下部カバー３２の中心穴から給水管４０の上端部内に嵌挿する。そして、上部カバー３１を回転させることにより、その下端部に形成してあるネジ部３１ａを下部カバー３２上のネジ部３２ａ内に螺着するのである。勿論、このネジ部３１ａの下部カバー３２側のネジ部３２ａに対する螺着度は、ストッパ２１が上部カバー３１及び下部カバー３２によって締め付けられて回動不能となるようなものとしては決めてないから、この上部カバー３１を下部カバー３２に対してきつく締めたとしても、ストッパ２１すなわち回転軸筒２０の回動が阻害されることはない。
【００４２】
これにより、吐水口本体１０を一体化した回転軸筒２０は、その下端部が給水管４０の上端部内に挿通されていることと、上部カバー３１及び下部カバー３２からなるカバー３０によって支持されながらその周囲を覆蓋されたことになっていることから、給水管４０やデッキ板５０に対して回動可能に支持されることになる。また、各シール部材２２は、給水管４０からの湯水がカバー３０外に洩れ出ないようにシールしていることになるのである。
【００４３】
ここで重要なことは、回転軸筒２０が上部カバー３１と下部カバー３２とからなるカバー３０によって給水管４０及びデッキ板５０上に位置決めされており、各シール部材２２によってカバー３０と給水管４０間がシールされていることにより、当該回転軸筒２０の長さは、例えば図７に示した従来のものに比較すれば、相当短くなっていることである。これにより、本発明において採用される回転軸筒２０は、材料が少なく軽量化されているのであり、これにより、非常に経済的なものとなっているのである。
【００４４】
（実施例２）
図３及び図４には、各請求項に係る発明を実質的に含む実施形態の回転吐水口１００が示してあるが、この回転吐水口１００において、上記実施例１と共通して使用する部品については、それと同一の符号を図３及び図４中に付することにより、その説明を省略し、実施例１の回転吐水口１００とは異なる部分を中心にした説明のみを以下に行う。
【００４５】
さて、この回転吐水口１００においても、そのカバー３０を上部カバー３１と下部カバー３２とに２分割したのであるが、回転軸筒２０と、各上部カバー３１及び下部カバー３２は、次のような個別の機能をそれぞれ果たすように構成したものである。まず回転軸筒２０であるが、この回転軸筒２０の上端外周にはネジ部２３が形成してあり、このネジ部２３の直下にはシール部材２２を嵌め付けるための円環溝が形成してある。この回転軸筒２０の上端にあるネジ部２３は、図４に示すように、吐水口本体１０の取付部１２に形成したネジ部１２ａに螺着されて、当該回転軸筒２０と吐水口本体１０とを一体化するものである。そして、この回転軸筒２０側のネジ部２３直下に位置するシール部材２２は、回転軸筒２０と吐水口本体１０間のシールを行うものである。
【００４６】
また、この回転軸筒２０の、給水管４０内に挿入されるべき下端部外周であって、上部カバー３１下端から露出する部分には、ネジ部２３直下のそれとは別のシール部材２２が設けてある。この下端部のシール部材２２は、当該回転軸筒２０と給水管４０とのシールを行うものであると同時に、上記上端側のシール部材２２とともに、カバー３０を構成する上部カバー３１及び下部カバー３２側にシール部材を不要にするものでもある。
【００４７】
そして、以上の２つのシール部材２２の間に位置する回転軸筒２０上には、円環状の掛止突条２４が形成してあり、この掛止突条２４は、次に述べる上部カバー３１の下側に形成してある掛止凹溝３１ｂ内に回動可能に介在させられることになるものである。
【００４８】
カバー３０を構成している上部カバー３１は、図４にも示したように、吐水口本体１０側のネジ部１２ａを上端に挿入できるとともに、下端部に給水管４０側に螺着し得るネジ部３１ａを内側に有した筒状のものとして形成してある。ネジ部１２ａと給水管４０との両端部間に位置することになる部分には、回転軸筒２０側の掛止突条２４を下側から係合させることになる掛止凹溝３１ｂが形成してある。換言すれば、この上部カバー３１は、吐水口本体１０の取付部１２に嵌合させた状態において、その下側から挿入される回転軸筒２０の上端のネジ部２３を吐水口本体１０側のネジ部１２ａに螺着することにより、回転軸筒２０側の掛止突条２４が上部カバー３１の掛止凹溝３１ｂ内に図示下方から入ることになるとともに、当該上部カバー３１の上端面が吐水口本体１０側の取付部１２下面に規制されて、回転軸筒２０とともに吐水口本体１０側に取付けられるものなのである。なお、この上部カバー３１の下端面は、略水平面としてある。
【００４９】
この上部カバー３１を吐水口本体１０側に取付けた場合には、図４にも示すように、回転軸筒２０の下端部及びこれに設けたシール部材２２が、上部カバー３１の下端から露出することになるのであり、この上部カバー３１と回転軸筒２０との間には、給水管４０の上端が螺着によって挿入されるべき空間が形成されることになる。
【００５０】
以上のような上部カバー３１に対して、その下側になる下部カバー３２は、図４にも示したように、ブッシュ等を介してデッキ板５０上に配置されることになるものであるが、その内周面には、デッキ板５０上に突出している給水管４０の外周に形成してあるネジ部４１の下部に螺着されるべきネジ部３２ａを有しているものである。すなわち、この下部カバー３２は、デッキ板５０上に突出している給水管４０下部のネジ部４１に単に螺着することができるだけの構造を有したものであり、その上端面は、上部カバー３１と同様に、上部カバー３１と互いに回動しながら当接するのに適した水平面として形成してある。
【００５１】
下部カバー３２が以上のような構造のものであるから、図４に示したように、デッキ板５０上に突出している給水管４０に螺着することにより、給水管４０と一体的な図３に示した水栓本体２１０、あるいは図６に示したような第１水栓本体２１１とは別体の第２水栓本体２１２のデッキ板５０に対する仮止めを行えるのである。従って、この下部カバー３２によれば、埋込型水栓２００の組付作業は勿論、回転吐水口１００自体の組付や点検・交換のための各種作業を簡単に行うことができるのである。また、この下部カバー３２は、上端が突出した状態で給水管４０に螺着されるものであり、この給水管４０の下部カバー３２からの突出した部分、つまりネジ部４１の上部に上部カバー３１側のネジ部３１ａを螺着することができるものである。
【００５２】
これら両上部カバー３１及び下部カバー３２は、給水管４０のデッキ板５０上に突出している部分に形成したネジ部４１に共に螺着されるものであり、かつ両者の互いに対向する面を水平面としてあるため、所謂ダブル・ナットとしての作用をも果たすものである。すなわち、下部カバー３２を螺着した給水管４０に対して上部カバー３１を螺着することにより、両上部カバー３１及び下部カバー３２の当接面間には、例えば上部カバー３１の緩みを防止する大きな摩擦力を生じさせることができて、吐水口本体１０にかかる力の大部分を給水管４０側にかけさせ、デッキ板５０にはかけないようにすることができるのである。
【００５３】
換言すれば、カバー３０の上部カバー３１及び下部カバー３２に給水管４０に対するダブル・ナットとしての作用を発揮させることにより、その両者間の締着力や吐水口本体１０からの力を給水管４０を介して水栓本体２１０側に伝達させることになり、デッキ板５０には使用中の吐水口本体１０からの力やカバー３０の締着力の少ししか掛からないようにすることができるのである。このため、回転吐水口１００等を取付けることになるデッキ板５０の破損を防止することができるのである。逆に、従来ではこの種の回転吐水口１００を取付けるために、デッキ板５０には一定の強度あるいは厚さが要求されていたのであるが、この要求を緩和することにもなるのである。
【００５４】
勿論、この実施例２の回転吐水口１００においても、図３に示したように、その回転軸筒２０の長さを十分短くすることができるのであるから、これによるメリットも、前述の実施例１の回転吐水口１００と同様にあるものである。
【００５５】
【発明の効果】
以上、詳述した通り、請求項１に係る発明においては、上記各実施形態において例示した如く、
「浴槽、洗面台等の水平なデッキ板５０の下側に配置される水栓本体２１０と、この水栓本体２１０からデッキ板５０上に突出する給水管４０に接続される回転吐水口１００を備えた埋込型水栓２００において、
回転吐水口１００を、給水管４０内に回動可能に嵌挿される回転軸筒２０と、この回転軸筒２０の上端に固定される吐水口本体１０と、この吐水口本体１０の下方を覆うとともに、回転軸筒２０を給水管４０に回動可能に組み付けるカバー３０とを備えたものとして構成するとともに、
カバー３０を、デッキ板５０上に突出している給水管４０に取付けられる下部カバー３２と、この下部カバー３２上に配置固定されて回転軸筒２０を回転可能に掛止する上部カバー３１との上下２分割にし、
かつ、回転軸筒２０の下端を、下部カバー３２の内側へ延設して、
回転軸筒２０の、上部カバー３１下端から露出する部分に円環溝を形成し、この円環溝内にシール部材２２を設けたこと」
にその構成上の特徴があり、これにより、回転軸筒の長さを短くすることができて、その結果、全体のコンパクト化、軽量化を図ることができ、しかも施工性も向上させることができて、非常に経済的なものとすることのできる回転吐水口を簡単な構造によって提供することができるのである。
【００５６】
（削除）
【００５７】
さらに、請求項２に係る発明においては、
「浴槽、洗面台等の水平なデッキ板５０の下側に配置される水栓本体２１０と、この水栓本体２１０からデッキ板５０上に突出する給水管４０に接続される回転吐水口１００を備えた埋込型水栓２００において、
回転吐水口１００を、給水管４０内に回動可能に嵌挿される回転軸筒２０と、この回転軸筒２０の上端に固定される吐水口本体１０と、この吐水口本体１０の下方を覆うとともに、回転軸筒２０を給水管４０に回動可能に組み付けるカバー３０とを備えたものとして構成するとともに、
カバー３０を、デッキ板５０上に突出している給水管４０に取付けられる下部カバー３２と、この下部カバー３２上に配置固定されて回転軸筒２０を回転可能に掛止する上部カバー３１との上下２分割にし、
かつ、回転軸筒２０の下端を、下部カバー３２の内側へ延設して、
さらに、給水管４０に、上部カバー３１の下端面が下部カバー３２の上端面に当接した状態にしながら上下両カバー３１．３２を螺着するとともに、上部カバー３１に設けた掛止凹溝３１ｂに回転軸筒２０の一部を回動可能に掛止するようにしたこと」
にその構成上の特徴があり、これにより、カバーの固定を、上部カバーと下部カバーとの締着によって行うことにより、当該回転吐水口が固定されるべきデッキ板に大きな締付力が及ばないようにして、デッキ板の保護をも行うことのできる回転吐水口を提供することができるのである。
【図面の簡単な説明】
【図１】請求項１及び２に係る回転吐水口の部分破断拡大断面図である。
【図２】図１に示した回転吐水口の組付状態を示す要部拡大断面図である。
【図３】請求項１及び３に係る回転吐水口の部分破断拡大断面図である。
【図４】図３に示した回転吐水口の組付状態を示す要部拡大断面図である。
【図５】本発明に係る回転吐水口と、これが組付けられるべき一体型の水栓本体を示す斜視図である。
【図６】同回転吐水口と、これが組付けられるべき別体型の水栓本体を示す斜視図である。
【図７】従来の回転吐水口の一例を示す部分破断拡大断面図である。
【符号の説明】
１００  回転吐水口
１０  吐水口本体
１１  吐水口
１２  取付部
１２ａ  ネジ部
２０  回転軸筒
２１  ストッパ
２２  シール部材
２３  ネジ部
２４  掛止突条
３０  カバー
３１  上部カバー
３１ａ  ネジ部
３１ｂ  掛止凹溝
３２  下部カバー
３２ａ  ネジ部
４０  給水管
４１  ネジ部
５０  デッキ板
６０  止水栓
６１  ハンドル
２００  埋込型水栓
２１０  水栓本体
２１１  第１水栓本体
２１２  第２水栓本体
【図１】
0003663589.tif 000002
【図２】
0003663589.tif 000003
【図３】
0003663589.tif 000004
【図４】
0003663589.tif 000005
【図５】
0003663589.tif 000006
【図６】
0003663589.tif 000007
【図７】
0003663589.tif 000008